Podtech/llm-jp-corpus-v4-ja_patent huggingface dataset:
【手続補正書】
【提出日】平成17年1月19日(2005.1.19)
【手続補正１】
【補正対象書類名】明細書
【補正対象項目名】００１９
【補正方法】変更
【補正の内容】
【００１９】
係脱部材７３は、支持体７３ａと、係脱体７３ｂと、圧縮バネ７３ｄ（図７）とを備える。支持体７３ａは、断面鉤状に形成され、連結アームの基部２４ａにネジ止めされている。係脱体７３ｂは、回転自在に支持体７３ａ上に連結されている。係脱体７３ｂの先端部には、上方に向けて曲折する係止部７３ｃが形成されている。支持体７３ａと係脱体７３ｂとの間に圧縮バネ７３ｄが取り付けられ、圧縮バネ７３ｄは、支持体７３ａに対して係脱体７３ｂを上方に付勢する。ここで、押圧体３４の先端部３４ａが、係脱体７３ｂの上側に近接している。そして、下糸切りレバー３３が、正面視して時計回りに回転すると、押圧体３４の先端部３４ａが係脱体７３ｂを圧縮バネ７３ｄに抗して下方に向けて押すようになっている。
【手続補正２】
【補正対象書類名】明細書
【補正対象項目名】００２０
【補正方法】変更
【補正の内容】
【００２０】
一方、回動腕２９の中間部には、コロ７４が設けられている。更に、回動腕２９のコロ７４のすぐ上には引張バネ７５の一端部が掛けられており、引張バネ７５の他端部は下糸切りレバー３３の上端部に掛けられている。引張バネ７５は、正面視して時計回りに回動腕２９を付勢する。そして、コロ７４が、カム部材３２の右部に形成されるカム部３２ａ，３２ｂに当接するようになっている。これにより、回動腕２９の時計回りの回転が抑止される。ここで、カム部３２ａ及びカム部３２ｂによって、カム部材３２の右端に角部３２ｃが形成される。また、回動腕２９の下端部には、前方に向けて突出する係止爪２９ａが設けられている。この係止爪２９ａは、係脱体７３ｂの係止部７３ｃに対して係止可能となっている。
【手続補正３】
【補正対象書類名】明細書
【補正対象項目名】００４０
【補正方法】変更
【補正の内容】
【００４０】
一方、操作レバー８７の戻りによって、カム部材３２はその左端部を中心に反時計回り（図７）に回転する。カム部材３２の回転に従い、下糸切りレバー３３がその基端部を中心に反時計回りに回転する。下糸切りレバー３３の反時計回りの回転に従い、押圧体３４は係脱体７３ｂへの押圧を解除し、係脱体７３ｂは初期状態に戻る。一方、カム部材３２の反時計方向への回転に従い、コロ７４がカム部３２ａから角部３２ｃそしてカム部３２ｂへと移りながら、回動腕２９が引張バネ７５の付勢力により時計方向に回転する。これに伴い軸部８２を介して上糸切りハサミ８０は左方に移動する。ここで、コロ７４がカム部３２ｂへと移った際に、係脱体７３ｂが初期状態に戻っているため、回動腕２９の係止爪２９ａが係脱体７３ｂの係止部７３ｃに係止する。これにより、回動腕２９の時計回りへの回転が抑止され、コロ７４とカム部３２ｂの当接が解除される。従って、上糸切りハサミ８０の左方への移動も止まる。
【手続補正４】
【補正対象書類名】図面
【補正対象項目名】図２
【補正方法】変更
【補正の内容】
【図２】
2002282568.tif 000001
【手続補正５】
【補正対象書類名】図面
【補正対象項目名】図２２
【補正方法】変更
【補正の内容】
【図２２】
2002282568.tif 000002
【手続補正書】
【提出日】平成16年3月31日(2004.3.31)
【手続補正１】
【補正対象書類名】明細書
【補正対象項目名】特許請求の範囲
【補正方法】変更
【補正の内容】
【特許請求の範囲】
【請求項１】
モータで回転する球受部を有する回転体を備え、入口からの遊技球を前記球受部に受入れ可能な遊技機の回転式入賞装置。
【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
遊技機用基板ボックスを容易に開封できないように封印することができると共に、その遊技機用基板ボックスを再利用可能に開封することができることを特徴とする遊技機。
【手続補正書】
【提出日】平成16年7月23日(2004.7.23)
【手続補正１】
【補正対象書類名】明細書
【補正対象項目名】特許請求の範囲
【補正方法】変更
【補正の内容】
【特許請求の範囲】
【請求項１】
連結封印部材が取り外されることを防止して、制御回路基板に不正な加工を施す不正行為を防止することができることを特徴とする遊技機。
【手続補正書】
【提出日】平成17年4月15日(2005.4.15)
【手続補正１】
【補正対象書類名】明細書
【補正対象項目名】特許請求の範囲
【補正方法】変更
【補正の内容】
【特許請求の範囲】
【請求項１】
マトリクス状に配置された複数の画素の各々にトップゲイト型ＴＦＴ及び補助容量を有する構成を含む半導体装置において、
前記補助容量は酸化タンタル膜をタンタル膜と半導体薄膜とで挟んだ構造からなり、前記半導体薄膜は前記トップゲイト型ＴＦＴの活性層の一部であると共に、前記タンタル膜は前記半導体薄膜よりも下方に存在することを特徴とする半導体装置。
【請求項２】
マトリクス状に配置された複数の画素の各々にトップゲイト型ＴＦＴ及び補助容量を有する構成を含む半導体装置において、
前記補助容量は酸化タンタル膜及び珪素を含む絶縁膜でなる積層膜をタンタル膜と半導体薄膜とで挟んだ構造からなり、前記半導体薄膜は前記トップゲイト型ＴＦＴの活性層の一部であると共に、前記タンタル膜は前記半導体薄膜よりも下方に存在することを特徴とする半導体装置。
【請求項３】
マトリクス状に配置された複数の画素を有する半導体装置において、
前記複数の画素は各々、ＴＦＴと補助容量とを有し、
前記ＴＦＴは、半導体薄膜中に形成されたソース領域、ドレイン領域およびチャネル形成領域と、前記チャネル形成領域の上方に形成されたゲイト電極とを少なくとも有し、
前記補助容量は、酸化タンタル膜をタンタル膜と前記半導体薄膜とで挟んだ構造からなり、前記タンタル膜は前記半導体薄膜よりも下方に存在することを特徴とする半導体装置。
【請求項４】
マトリクス状に配置された複数の画素を有する半導体装置において、
前記複数の画素は各々、ＴＦＴと補助容量とを有し、
前記ＴＦＴは、半導体薄膜中に形成されたソース領域、ドレイン領域およびチャネル形成領域と、前記チャネル形成領域の上方に形成されたゲイト電極とを少なくとも有し、
前記補助容量は、酸化タンタル膜及び珪素を含む絶縁膜でなる積層膜をタンタル膜と前記半導体薄膜とで挟んだ構造からなり、
前記タンタル膜は前記半導体薄膜よりも下方に存在することを特徴とする半導体装置。
【請求項５】
請求項１乃至４のいずれか一において、前記酸化タンタル膜は前記タンタル膜を熱酸化することによって形成されたことを特徴とする半導体装置。
【請求項６】
請求項１乃至５のいずれか一において、前記酸化タンタル膜は前記タンタル膜の周囲のみに形成されていることを特徴とする半導体装置。
【請求項７】
請求項１または請求項２において、前記トップゲイト型ＴＦＴはアルミニウム系材料からなるゲイト電極を有することを特徴とする半導体装置。
【請求項８】
請求項１乃至７のいずれか一に記載の半導体装置は、液晶表示装置、ＥＬ表示装置またはＥＣ表示装置である。
【請求項９】
請求項１乃至８のいずれか一に記載の半導体装置を用いることを特徴とする携帯電話、ビデオカメラ、モバイルコンピュータ、ヘッドマウントディスプレイ、リア型プロジェクターまたはフロント型プロジェクター。
【請求項１０】
絶縁表面を有する基板上にタンタル膜でなる容量配線を形成し、
前記容量配線の表面に熱酸化法によって酸化タンタル膜を形成し、
前記酸化タンタル膜を覆って半導体薄膜を形成し、
前記半導体薄膜を活性層としてトップゲイト型ＴＦＴを作製する工程を有することを特徴とする半導体装置の作製方法。
【請求項１１】
絶縁表面を有する基板上にタンタル膜でなる容量配線を形成し、
前記容量配線の表面に熱酸化法によって酸化タンタル膜を形成し、
前記酸化タンタル膜を覆って半導体薄膜を形成し、
前記半導体薄膜上にゲイト絶縁膜及びゲイト電極を形成し、
前記ゲイト電極をマスクとして不純物元素を添加し、ソース領域及びドレイン領域を形成する工程を有することを特徴とする半導体装置の作製方法。
【請求項１２】
請求項１０または請求項１１において、前記熱酸化法は 450〜600 ℃の温度範囲で行われることを特徴とする半導体装置の作製方法。
【手続補正書】
【提出日】平成17年1月20日(2005.1.20)
【手続補正１】
【補正対象書類名】明細書
【補正対象項目名】特許請求の範囲
【補正方法】変更
【補正の内容】
【特許請求の範囲】
【請求項１】
絶縁材料上の少なくとも片面に金属層を備える回路形成材料を準備する工程、
前記金属層表面に第一の配線パターン形状のレジスト像を形成する工程、
前記金属層をハーフエッチングして第一の配線パターンを形成する工程、
前記第一の配線パターンを含む第二の配線パターン形状のレジスト像を形成する工程、
前記金属層をエッチングして第一の配線パターンを含む第二の配線パターンを形成する工程
を備える配線板の製造法。
【請求項２】
絶縁材料上の少なくとも片面に金属層を備える回路形成材料を準備する工程、
前記金属層表面にバンプ形状のレジスト像を形成する工程、
前記金属層をハーフエッチングしてバンプを形成する工程、
前記バンプを含む所定配線パターン形状のレジスト像を形成する工程、
前記金属層をエッチングしてバンプ付き配線パターンを形成する工程
を備えるバンプ付配線基板の製造法。
【請求項３】
絶縁材料上に形成された金属層の表面が粗化された構造である請求項２記載のバンプ付配線基板の製造法。
【請求項４】
バンプ表面に、ニッケル及び金を電解または無電解めっきした後、ロジウムを電解めっきする工程を備える請求項２又は３記載のバンプ付配線基板の製造法。
【請求項５】
バンプの高さが１０〜１５μｍである請求項２〜４のいずれかに記載のバンプ付配線基板の製造法。
【手続補正書】
【提出日】平成17年4月4日(2005.4.4)
【手続補正１】
【補正対象書類名】明細書
【補正対象項目名】特許請求の範囲
【補正方法】変更
【補正の内容】
【特許請求の範囲】
【請求項１】
細長い照明効果用板状体と；照明効果用板状体の背方にその長手方向に沿って配設された細長いランプと；照明効果用板状体を取付面から離間した状態にするスペーサ手段と；照明効果用板状体の幅方向への回動を許容する回動手段と；を具備していることを特徴とする照明装置。
【請求項２】
細長い取付体と；取付体の長手方向に沿って取り付けられた細長いランプと；取付体の端部近傍に配設されたスペーサ手段と；スペーサ手段と協働する回動手段と；スペーサ手段および回動手段を介して設置面から離間するとともに幅方向に回動可能に取り付けられる細長い照明効果用板状体と；を具備していることを特徴とする照明装置。
【請求項３】
細長い照明効果用板状体と；照明効果用板状体の背方にその長手方向に沿って配設された細長いランプと；照明効果用板状体を取付面から離間した状態にするスペーサ手段と；照明効果用板状体の幅方向への回動を許容する回動手段と；ランプの周囲に回動自在に装着されてランプの周囲の一部を包囲している反射板と；を具備していることを特徴とする照明装置。
【請求項４】
細長い取付体と；取付体の長手方向に沿って取り付けられた細長いランプと；取付体の端部近傍に配設されたスペーサ手段と；スペーサ手段と協働する回動手段と；スペーサ手段および回動手段を介して設置面から離間するとともに幅方向に回動可能に取り付けられる細長い照明効果用板状体と；ランプの周囲に回動自在に装着されてランプの周囲の一部を包囲している反射板と；を具備していることを特徴とする照明装置。
【請求項５】
スペーサ手段および回動手段は、取付体の長手方向の端部近傍に立設された支承板、照明効果用板状体から垂下した回動板、ならびに支承板に対して回動板を所望の回動位置で軸支する回動軸を備えていることを特徴とする請求項２または４のいずれかに記載の照明装置。
【請求項６】
ランプを点滅するスイッチ、電源を導入する端子台およびランプソケットが取付体に配設されていることを特徴とする請求項２、４または５のいずれかに記載の照明装置。
【請求項７】
反射板は、その長手方向に沿って分散して配設され、弾力を利用してランプを抱持する複数のクリップを備えていることを特徴とする請求項３または４のいずれか一記載の照明装置。
【請求項８】
反射板は、ランプの周囲のほぼ半分を包囲していることを特徴とする請求項３、４または７のいずれかに記載の照明装置。
【請求項９】
回動手段は、照明効果用板状体に対してその幅方向に偏心した位置での回動を許容することを特徴とする請求項１ないし８のいずれか一記載の照明装置。
【請求項１０】
照明効果用板状体は、遮光性の板状体であることを特徴とする請求項１ないし９のいずれか一記載の照明装置。
【請求項１１】
照明効果用板状体は、透光性の板状体であることを特徴とする請求項１ないし９のいずれか一記載の照明装置。
【請求項１２】
ランプは、細長いガラス管およびガラス管内に離間して配設された複数の無口金小形電球を備えていることを特徴とする請求項１ないし１１のいずれか一記載の照明装置。
【手続補正２】
【補正対象書類名】明細書
【補正対象項目名】００２６
【補正方法】変更
【補正の内容】
【００２６】
また、ランプを交換するなどのためにランプを着脱したり、使用時の反射板の角度を調整したり、さらには配線工事などを行うときには、照明効果用板状体を回動手段によって回動させればよい。そうすれば、照明効果用板状体が回動するので、それぞれの作業が容易になる。
【手続補正書】
【提出日】平成17年4月18日(2005.4.18)
【手続補正１】
【補正対象書類名】明細書
【補正対象項目名】特許請求の範囲
【補正方法】変更
【補正の内容】
【特許請求の範囲】
【請求項１】
複数の論理ボリュームに分割された記憶領域を有する記憶装置群と、ホストコンピュータに接続され、前記ホストコンピュータと前記記憶装置群との間を転送されるデータを一時的に保持するキャッシュメモリを有する複数のコントローラと、を備え、前記複数のコントローラが前記記憶装置群を制御する記憶サブシステムであって、
前記コントローラは、処理を担当する前記論理ボリュームが割り当てられ、前記キャッシュメモリは、前記複数のコントローラのための記憶領域を有することを特徴とする記憶サブシステム。
【請求項２】
請求項１に記載の記憶サブシステムであって、
前記コントローラは、前記複数のコントローラのための前記キャッシュメモリの記憶領域を、前記コントローラが処理を担当する論理ボリュームのための領域に分割することを特徴とする記憶サブシステム。
【請求項３】
請求項１に記載の記憶サブシステムであって、
前記コントローラが前記ホストコンピュータから処理担当外の論理ボリュームに対する処理要求を受領したときは、前記コントローラは、前記論理ボリュームの処理を担当していたコントローラが担当する全ての論理ボリュームの処理を担当することを特徴とする記憶サブシステム。
【請求項４】
請求項１又は請求項２に記載の記憶サブシステムであって、
前記コントローラが前記ホストコンピュータから処理担当外の論理ボリュームに対する処理要求を受領したときは、前記コントローラは、前記論理ボリュームの処理を担当することを特徴とする記憶サブシステム。
【請求項５】
請求項１に記載の記憶サブシステムであって、
前記コントローラは、前記ホストコンピュータから処理担当外の論理ボリュームに対する処理要求を受領したときは、前記論理ボリュームの処理担当コントローラに処理要求内容を通信し、通信を受領したコントローラが前記論理ボリュームに対する処理を行い、処理結果を要求元のコントローラに通信することを特徴とする記憶サブシステム。
【請求項６】
請求項１に記載の記憶サブシステムであって、
前記コントローラが前記ホストコンピュータから処理担当外の論理ボリュームに対する処理要求を受信したときの処理方法を選択するための入力手段を有することを特徴とする記憶サブシステム。
【請求項７】
請求項２に記載の記憶サブシステムであって、
コントローラ当たりのキャッシュメモリ領域の容量、及び前記論理ボリュームのためのキャッシュメモリ領域の容量を指定するための入力手段を有することを特徴とする記憶サブシステム。
【請求項８】
請求項１に記載の記憶サブシステムであって、
前記複数のコントローラのキャッシュメモリのそれぞれに前記複数の論理ボリュームのデータを格納することを特徴とする記憶サブシステム。
【請求項９】
請求項１に記載の記憶サブシステムであって、
前記複数のコントローラのキャッシュメモリのそれぞれに前記複数の論理ボリュームのデータを格納するか、或いは前記コントローラのそれぞれが処理を担当する論理ボリュームのデータのみを格納するかを選択する入力手段を有することを特徴とする記憶サブシステム。
【請求項１０】
請求項１に記載の記憶サブシステムであって、
前記コントローラに障害が発生した場合には、障害コントローラが担当していた論理ボリュームの処理を正常に動作しているコントローラの担当に切り替えることを特徴とする記憶サブシステム。
【請求項１１】
請求項３に記載の記憶サブシステムであって、
前記コントローラが前記ホストコンピュータから処理を担当していない論理ボリュームに対する処理要求を受領したときは、キャッシュメモリ上の管理情報のみの変更で担当の切り替えを行うことを特徴とする記憶サブシステム。
【請求項１２】
請求項４に記載の記憶サブシステムであって、
前記コントローラが前記ホストコンピュータから処理を担当していない論理ボリュームに対する処理要求を受領したときは、キャッシュメモリ上の切り替え対象論理ボリュームのうち前記記憶装置群の記憶領域に格納されていないデータを切り替え先のコントローラ内のキャッシュメモリ上にコピーして前記論理ボリュームの処理を担当するコントローラを切り替えることを特徴とする記憶サブシステム。
【請求項１３】
請求項２に記載の記憶サブシステムであって、
前記コントローラは、前記キャッシュメモリの論理ボリュームのための記憶領域を、前記論理ボリュームへ入出力されるデータ量に応じて変更することを特徴とする記憶サブシステム。
【請求項１４】
複数の論理ボリュームに分割された記憶領域を有する記憶装置群と、ホストコンピュータに接続する複数のポートを有する複数のコントローラとを備える記憶サブシステムであって、
各コントローラは、処理を担当する論理ボリュームがポート毎に排他的に割り当てられており、
所定のコントローラの所定のポートに接続するアクセスパスに障害が生じると、障害が生じたポートに割り当てられた論理ボリュームの処理を、正常に動作しているコントローラの担当に切り替えることを特徴とする記憶サブシステム。
【請求項１５】
複数の論理ボリュームに分割された記憶領域を有する記憶装置群と、ホストコンピュータに接続する複数のポートを有する複数のコントローラとを備える記憶サブシステムであって、
各コントローラは、処理を担当する論理ボリュームがポート毎に排他的に割り当てられており、
所定のコントローラに障害が生じると、障害が生じたコントローラに割り当てられていた全ての論理ボリュームの処理を、正常に動作しているコントローラの担当に切り替えることを特徴とする記憶サブシステム。
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
一次媒体を循環させる一次媒体循環系と、
該一次媒体の温度を調節する第一温度調節部と、
二次媒体を循環させ、該二次媒体に基づいて温度制御対象部の温度を制御する二次媒体循環系と、
温度調節された前記一次媒体の温度に基づいて、前記二次媒体の温度を調節する第二温度調節部とを有することを特徴とする温度制御装置。
【請求項２】
請求項１記載の温度制御装置において、
前記第二温度調節部には、前記一次媒体と前記二次媒体との間で熱交換を行うペルチェ素子が配設されていることを特徴とする温度制御装置。
【請求項３】
請求項１または２記載の温度制御装置において、
前記第一温度調節部は、冷却媒体に基づいて前記一次媒体の温度を所定温度に制御し、
前記一次媒体循環系は、所定温度に制御された前記一次媒体を循環させる主循環系と、
前記主循環系を循環する前記一次媒体を貯留する貯留室と、
前記第二温度調節部に接続され、前記貯留室に貯留された前記一次媒体を循環させる従循環系とを備えることを特徴とする温度制御装置。
【請求項４】
投影光学系を介して基板上にパターンを転写する露光装置において、
露光装置本体に設けられる少なくとも一つの温度制御対象部と、
該温度制御対象部の温度を制御する温度制御装置とを備え、
該温度制御装置は、一次媒体を循環させる一次媒体循環系と、
前記一次媒体の温度を調節する第一温度調節部と、
二次媒体を循環させ、該二次媒体に基づいて前記温度制御対象部の温度を調節する二次媒体循環系と、
温度調節された前記一次媒体の温度に基づいて前記二次媒体の温度を調節する第二温度調節部とを有することを特徴とする露光装置。
【請求項５】
請求項４記載の露光装置において、
前記投影光学系が、前記温度制御装置による温度制御対象部とされていることを特徴とする露光装置。
【請求項６】
請求項４または５記載の露光装置において、
前記投影光学系は、前記露光装置本体にフランジを介して取り付けられ、
該フランジが、前記温度制御装置による温度制御対象部とされていることを特徴とする露光装置。
【請求項７】
請求項４から６のいずれか一項に記載の露光装置において、
前記温度制御対象部とは異なる第二の温度制御対象部を有し、前記第二の温度制御対象部は、前記一次媒体によって温度が調節されることを特徴とする露光装置。
【請求項８】
請求項７記載の露光装置において、
前記第二の温度制御対象部は、前記基板を載置して移動可能なステージであることを特徴とする露光装置。
【手続補正２】
【補正対象書類名】明細書
【補正対象項目名】００１７
【補正方法】変更
【補正の内容】
【００１７】
請求項４記載の露光装置は、投影光学系（２２）を介してパターンを基板（２１）上に転写する露光装置において、露光装置本体（１２）に設けられる少なくとも一つの温度制御対象部（２２，３２）と、温度制御対象部（２２，３２）の温度を制御する温度制御装置（３３）とを備え、温度制御装置（３３）が、一次媒体を循環させる一次媒体循環系（３４）と、一次媒体の温度を調節する第一温度調節部（５２）と、二次媒体を循環させ、二次媒体に基づいて温度制御対象部（２２，３２）の温度を調節する二次媒体循環系（３５）と、温度調節された一次媒体の温度に基づいて二次媒体の温度を調節する第二温度調節部（３６）とを有するものである。
【手続補正３】
【補正対象書類名】明細書
【補正対象項目名】００２２
【補正方法】変更
【補正の内容】
【００２２】
従って、本発明の露光装置では、フランジ（３２）の温度を温度制御装置（３３）によって高精度に制御することができ、露光装置本体（１２）を介して投影光学系（２２）に伝わる熱の悪影響を排除することができる。請求項７記載の露光装置は、請求項４から６のいずれか一項に記載の露光装置において、温度制御対象部（２２、３２）とは異なる第二の温度制御対象部（２３）を有し、その第二の温度制御対象部は、一次媒体によって温度が調節されるものである。また、請求項８記載の露光装置は、請求項７記載の露光装置において、第二の温度制御対象部が、基板（２１）を載置して移動可能なステージ（２３）である
【手続補正４】
【補正対象書類名】明細書
【補正対象項目名】００６８
【補正方法】変更
【補正の内容】
【００６８】
これにより、この露光装置では、投影光学系の熱的影響による弊害を排除することができる。また、請求項７記載の露光装置は、一次媒体を第二の温度制御対象部の温度調節に用いることができるので、一つの温度制御装置で複数の温度制御対象部に対して最適な温度調節を行うことができるという優れた効果を有する。請求項８記載の露光装置は、第二の温度制御対象部としてステージを効率的に温調することができる。
【手続補正書】
【提出日】平成17年4月26日(2005.4.26)
【手続補正１】
【補正対象書類名】明細書
【補正対象項目名】特許請求の範囲
【補正方法】変更
【補正の内容】
【特許請求の範囲】
【請求項１】
温度制御対象室内へ供給されるガスの温度調整装置であって、
前記ガスを供給する供給管を介して該ガスの温度を調整する温度調整ユニットを有することを特徴とするガス温度調整装置。
【請求項２】
請求項１記載のガス温度調整装置において、
前記供給管のうち、前記温度調整ユニットで温度が調整される部分は、熱伝導可能な材料で形成されることを特徴とするガス温度調整装置。
【請求項３】
請求項２記載のガス温度調整装置において、
前記温度調整ユニットは、前記温度制御対象室内の温度に対応する温度に調整された温度調整室とされ、
前記供給管は、該温度調整室内に所定長さ配設されることを特徴とするガス温度調整装置。
【請求項４】
請求項３記載のガス温度調整装置において、
前記温度調整室は、前記温度制御対象室と一体的に形成され、
前記温度調整室内には、前記温度制御対象室内に供給されるガスが充填されることを特徴とするガス温度調整装置。
【請求項５】
請求項３記載のガス温度調整装置において、
前記温度調整室は、前記温度制御対象室の近傍に設けられ、且つ該温度制御対象室に供給されたガス温度を検知して前記温度調整室内の温度を調整する制御部を備えることを特徴とするガス温度調整装置。
【請求項６】
露光光で照明されたマスクのパターンの像を投影光学系を介して基板上に転写する露光装置において、
露光装置本体に設けられる少なくとも一つの温度制御対象室と、
該温度制御対象室に接続され、前記温度制御対象室内にガスを供給する供給管と、
該供給管を介して前記温度制御対象室内に供給されるガスの温度を調整するガス温度調整装置とを有することを特徴とする露光装置。
【請求項７】
請求項６記載の露光装置において、
前記ガス温度調整装置は、前記温度制御対象室内の温度に対応する温度に調整された温度調整室を備え、
前記供給管は、熱伝導可能な材料で形成されると共に、前記温度調整室に所定長さ配設されることを特徴とする露光装置。
【請求項８】
請求項６または７記載の露光装置において、
前記投影光学系は、光学系収納室内に収納され、
該光学系収納室が、前記ガス温度調整装置による温度制御対象室とされていることを特徴とする露光装置。
【請求項９】
請求項６から８のいずれかに記載の露光装置において、
前記投影光学系には、前記露光光の光路上に、複数のレンズが気密室を隔てて配設され、
該気密室が、前記ガス温度調整装置による温度制御対象室とされていることを特徴とする露光装置。
【請求項１０】
投影光学系を介して基板上にパターンを転写する露光装置において、
露光装置本体に設けられる少なくとも一つの温度制御対象室と、
前記温度制御対象室の温度を制御する温度設定ユニットと、
前記温度制御対象室と連通する温度調整室と、
前記温度制御調整室内に所定長さ配設されるとともに、前記温度制御対象室内にガスを供給する供給管とを備える露光装置。
【請求項１１】
前記温度制御対象室と前記温度調整室とは一体的に形成されている請求項１０記載の露光装置。
【請求項１２】
前記温度調整室内に配設される前記供給管の長さは、前記温度調整室に入る前のガスの温度変動量と、前記温度制御対象室に供給するガスに必要な温度変動量とに基づいて決定される請求項１０または１１に記載の露光装置。
【請求項１３】
前記温度制御対象室の少なくとも一つは、前記投影光学系の一部を構成する請求項１０から１２のいずれか一項に記載の露光装置。
【手続補正２】
【補正対象書類名】明細書
【補正対象項目名】００２５
【補正方法】変更
【補正の内容】
【００２５】
従って、本発明の露光装置では、投影光学系（２２）の露光光の光路上に配設された複数のレンズ（２２ｅ）間の気密室（４７）内に、該気密室内の温度に対応する温度に調整されたガスを供給することができる。また、請求項１０記載の露光装置は、投影光学系（２２）を介して基板（２１）上にパターンを転写する露光装置において、露光装置本体（１２）に設けられる少なくとも一つの温度制御対象室（２２ａ）と、温度制御対象室の温度を制御する温度設定ユニット（４２、４３）と、温度制御対象室と連通する温度調整室（３６）と、温度制御調整室内に所定長さ配設されるとともに、温度制御対象室内にガスを供給する供給管（３３）とを備えるものである。これによれば、ガスの温度調整専用の温度調整手段を別途設ける必要がなく、装置の簡素化を図ることができる。この場合において、温度制御対象室と温度調整室とは一体的に形成したものとすることができる。また、温度調整室内に配設される前記供給管の長さは、温度調整室に入る前のガスの温度変動量と、温度制御対象室に供給するガスに必要な温度変動量とに基づいて決定するようにすればよい。また、温度制御対象室の少なくとも一つは、投影光学系（２２）の一部を構成するものとしてもよい。
【手続補正３】
【補正対象書類名】明細書
【補正対象項目名】００６９
【補正方法】変更
【補正の内容】
【００６９】
請求項９に係る露光装置は、投影光学系に複数のレンズが気密室を隔てて配設されており、この気密室がガス温度調整装置による温度制御対象室とされる構成となっている。
これにより、この露光装置では、気密室内の温度が一定に維持されるため、屈折率の変動が一層抑制され、結果として、重ね合わせ精度の劣化が一層防止されるという優れた効果を奏するものである。請求項１０に係る露光装置は、供給管が所定長さだけ温度調整室内に配設されているので、供給管を通過するガスの温度が温度調整室、ひいては温度制御対象室と略同等の温度に調整され、温度制御対象室内を高い精度で一定温度に保つことができるという効果を奏する。請求項１１に係る露光装置は、温度制御対象室と温度調整室とが一体的に形成されているので、装置構成を簡略化することができる。請求項１２に係る露光装置は、温度調整室内に配設される供給管の長さを、温度制御対象室に供給するガスに必要な温度変動量に応じて決定しているので、供給されるガスを最適な温度に調整することができる。請求項１３に係る露光装置は、投影光学系を高精度に温調することができる。
【手続補正書】
【提出日】平成17年4月11日(2005.4.11)
【手続補正１】
【補正対象書類名】明細書
【補正対象項目名】請求項１
【補正方法】変更
【補正の内容】
【請求項１】
複数のボンディングパッドを有する半導体チップと、
表面に溝を有し、前記表面に前記チップを搭載するベース部材と、
前記チップ及び前記溝内をモールドした封止樹脂層と、
前記ボンディングパッドに接合して形成され、前記封止樹脂層の表面に露出させたバンプと、
を備えたことを特徴とする半導体パッケージ。
【手続補正２】
【補正対象書類名】明細書
【補正対象項目名】請求項４
【補正方法】変更
【補正の内容】
【請求項４】
表面に溝を有するベース部材を準備する工程と、
前記ベース部材にウェハ処理を終えたウェハを搭載する工程と、
前記ウェハのボンディングパッドに接合するバンプを形成する工程と、
前記ベース部材上で前記ウェハを切断してチップ分割する工程と、
前記ウェハ及び前記溝内を封止樹脂層によりモールドする工程と、
前記封止樹脂層で覆われた前記ウェハをフルカッティングしてバッケージ分割する工程と、
を備えたことを特徴とする半導体パッケージの製造方法。
【手続補正書】
【提出日】平成16年11月10日(2004.11.10)
【手続補正１】
【補正対象書類名】明細書
【補正対象項目名】００２３
【補正方法】変更
【補正の内容】
【００２３】
その後、フィルムキャリアをリール８に巻き取り（図６）、これをバーンイン装置９内に投入する（図７）。そして、バーンイン装置９の有する電位供給部１０によって、第１の配線５ａに電源電位を、第２の配線５ｂに接地電位をそれぞれ与える。これにより、ＩＣチップ４の有する全てのパッドのうち電源電位を与えるべき所定のパッドには第１の配線５ａ及びテストパッド３ａを介して電源電位が与えられ、接地電位を与えるべき他の所定のパッドには第２の配線５ｂ及びテストパッド３ｂを介して接地電位が与えられる。また、オープンにすべき残りのパッドには電源電位も接地電位も与えられない。
【手続補正書】
【提出日】平成17年7月11日(2005.7.11)
【手続補正１】
【補正対象書類名】明細書
【補正対象項目名】発明の名称
【補正方法】変更
【補正の内容】
【発明の名称】ステージ位置及び異常箇所部分画像自動認識方法
【手続補正２】
【補正対象書類名】明細書
【補正対象項目名】特許請求の範囲
【補正方法】変更
【補正の内容】
【特許請求の範囲】
【請求項１】
ウェーハ上のアライメントマークから一定距離離れた形状から得られる電子線画像の微分画像から、正規化相関係数を使ってこの形状のステージ位置を自動的に認識するステージ位置自動認識方法。
【請求項２】
ウェーハ上のアライメントマークから一定距離離れた形状から得られる電子線画像、もしくは光学画像から直線形状、円形状などを検出してこの形状のステージ位置を自動的に認識するステージ位置自動認識方法。
【請求項３】
異常箇所を含む繰り返し形状である電子線画像を異常箇所画像とし、同一の画像であるが繰り返し間隔シフトさせた画像をリファレンス画像とし、これら２画像の比較によって、異常箇所の部分画像を自動的に認識する異常箇所部分画像自動認識方法。
【請求項４】
異常箇所画像の各画素を参照画素にして、その画素に対応するリファレンス画像の画素の近傍から参照画素値にもっとも近い画素を求め、その値でリファレンス画像の画素値を置き換えるノイズ除去方法。
【請求項５】
異常箇所画像の画素値とそれに対応するリファレンス画像の画素値の差の自乗和を使った異常箇所検出方法。
【請求項６】
異常箇所画像とリファレンス画像のヒストグラムが同じになるように、異常箇所画像もしくはリファレンス画像の画素値を書き換えることにより画像を類似化する方法。
【請求項７】
請求項３で認識した異常箇所の部分画像の特徴量と、この部分画像に対応する異常箇所画像とリファレンス画像についての画像特徴量から、異常箇所の種類を自動的にクラス分けする方法。
【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
地理情報をデータベースとして管理する地理情報データ管理方法であって、
前記データベースには、地物を表す図形データと、該地物の属性情報とが対応付けられて記憶され、
地物が生成された場合には、該生成された地物の図形データに前記地物の生成時間を対応付けて前記データベースに登録し、
前記地物が消滅した場合は、前記データベースに登録されている前記消滅した地物の図形データに前記消滅時間を対応付けて前記データベースに登録することを特徴とする地理情報データ管理方法。
【請求項２】
前記属性情報にも該属性情報の生成時間と消滅時間を対応付けて管理することを特徴とする請求項１記載の地理情報データ管理方法。
【請求項３】
前記図形データは折れ線で表現されることを特徴とする請求項１又は２に記載の地理情報データ管理方法。
【請求項４】
前記地理情報のデータにＩＤ番号を付与し、
地理情報の置換が生じた場合、
置換前の地理情報のデータのＩＤ番号を置換後の地理情報に付与情報として格納し、
前記置換後の地理情報のデータのＩＤ番号を置換前の地理情報に付与情報として格納して前記データベースにそれぞれ登録することを特徴とする請求項１乃至３の何れかに記載の地理情報データ管理方法。
【請求項５】
地理情報を保持するデータベースを格納するサーバと、該サーバのデータベースを管理するデータベース管理部とを具備する地理情報データ管理システムであって、
前記データベースは、地物を表す図形データと、該地物の属性情報とを対応付けて管理し、
前記データベース管理部は、
新たに生成された地物については、該生成された地物の図形データに、前記地物の生成時間を対応付けて前記サーバのデータベースに登録し、
前記データベースに登録されている地物であって消滅したものは、前記図形データに前記地物の消滅時間を対応付けて前記サーバのデータベースに登録することを特徴とする地理情報データ管理システム。
【請求項６】
地理情報を保持するデータベースを格納するサーバと、該サーバのデータベースを管理するデータベース管理部とを具備する地理情報データ管理システムであって、
前記データベースは、地物を表す図形データと、該地物の属性情報とを対応付けて管理し、
前記データベース管理部は、
前記地物が生成された場合には、該地物の図形データと属性情報のそれぞれに生成時間を対応付けて前記データベースに格納し、
前記データベースに格納される地物が消滅した場合には、該地物の図形データと属性情報のそれぞれに該消滅時間を対応付けて前記データベースに格納することを特徴とする地理情報データ管理システム。
【手続補正書】
【提出日】平成16年11月19日(2004.11.19)
【手続補正１】
【補正対象書類名】明細書
【補正対象項目名】特許請求の範囲
【補正方法】変更
【補正の内容】
【特許請求の範囲】
【請求項１】
シリコンオンインシュレータ基板中の単結晶シリコンデバイス層内に形成された平面外デバイスと、
前記デバイス層内に形成されたフレキシブルなリボン構造とを、備え、
前記平面外デバイス及びリボン構造が一体化乃至集積化されたアセンブリとして形成されたことを特徴とするマイクロ電気機械アセンブリ。
【請求項２】
前記デバイス層が、シリコンオンインシュレータウェハの一部として形成されており、少なくとも前記デバイス層及び埋め込み酸化物層を含むことを特徴とする請求項１記載のマイクロ電気機械アセンブリ。
【請求項３】
前記リボン構造の一端は前記埋め込み酸化物層の上方にあるアンカーポイントに取り付けられ、前記平面外デバイスの一端は前記埋め込み酸化物層に取り付けられていないことを特徴とする請求項２記載のマイクロ電気機械アセンブリ。
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
少なくとも電源部、警報音を発する回路及び作動用のピンを配設し、該ピンを抜くことによって前記回路が作動して警報音を発する警報装置であって、該警報装置の本体部には、第１の施錠の手段及び第１の係止部材を配設し、前記本体部にピンを配設させたときに第１の施錠を解錠することができて第１の係止部材の動作が可能になる構成にしたことを特徴とするひったくり防止用警報装置。
【請求項２】
前記ピンが第２の施錠の手段であり、前記ピンに紐状部材を配設して該紐状部材の他端に第２の係止部材を配設させたことを特徴とする請求項１に記載のひったくり防止用警報装置。
【請求項３】
前記警報装置は、前記ピンを抜いても警報音を発さず、第１の施錠を解錠しようとすることにより警報音を発するように設定できることを特徴とする請求項１に記載のひったくり防止用警報装置。
【請求項４】
前記警報装置は、位置を検出して、該位置を通報する手段を備えることを特徴とする請求項１または３に記載のひったくり防止用警報装置。
【請求項５】
前記請求項１乃至４の何れかに記載のひったくり防止用警報装置を備えたことを特徴とするひったくり防止用警報装置を備えたカバン。
【請求項６】
開閉部に第３の施錠の手段を配設したカバンであって、少なくとも電源部、警報音を発する回路及び作動用のピンを配設し、該ピンを抜くことによって前記回路が作動して警報音を発し、前記ピンを配設させたときに前記第３の施錠の手段を解錠できる構成にしたことを特徴とするひったくり防止用カバン。
【請求項７】
前記ピンが第４の施錠の手段であり、前記ピンに紐状部材を配設して該紐状部材の他端に第３の係止部材を配設させたことを特徴とする請求項６に記載のひったくり防止用カバン。
【請求項８】
前記カバンは、液体を吐出させる手段または位置を検出してその位置を通報する手段の何れか一方または両方を設けることにより、犯人の特定・探索に寄与できるようにしたことを特徴とする請求項６に記載のひったくり防止用カバン。
【請求項９】
前記カバンは、前記ピンを抜いても警報音を発さず、第３の施錠を解錠しようとすることにより警報音を発するように設定できることを特徴とする請求項６または８に記載のひったくり防止用カバン。
【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
１ゲームに賭ける賭数が設定されることによりゲームを開始させることが可能となり、可変表示装置の表示結果が導出表示されることにより１ゲームの終了条件が成立し、該可変表示装置の表示結果に応じて、今回のゲームの賭数が次回のゲームに持越される再ゲーム役を含む複数種類の入賞が発生し得るスロットマシンであって、
賭数の設定に使用可能なクレジットの数を記憶するクレジット数記憶手段と、
該クレジット数記憶手段に記憶されたクレジット数から賭数相当のクレジット数を減算することと引換えにして、賭数として２以上の所定数を一度に選択する操作が可能となる賭数選択操作手段と、
遊技状態を制御する遊技制御手段と、
該遊技制御手段とは別個に設けられ、前記遊技制御手段から送信される所定の賭数コマンドが示す賭数を報知するための制御を行なう報知制御手段と、
該報知制御手段により制御され、前記賭数コマンドが示す賭数を報知する報知手段とを含み、
前記遊技制御手段は、
前記賭数選択操作手段が操作されたときに設定されている賭数に基づいて、当該賭数選択操作手段の操作によって増加する賭数を特定する特定手段と、
前回のゲームで前記再ゲーム役による入賞が発生したときに今回のゲームの賭数として前回の賭数と同じ数を自動的に設定する賭数自動設定手段と、
複数種類の賭数の各々に対応付けられた各賭数コマンドのうちの前記特定手段により特定された賭数または前記賭数自動設定手段により設定された賭数に対応する一の賭数コマンドを設定する賭数コマンド設定手段と、
該賭数コマンド設定手段が設定した賭数コマンドを前記報知制御手段へ送信する賭数コマンド送信手段と、
該賭数コマンド送信手段による前記賭数コマンドの送信時期を所定時間の範囲内でランダムに変化させる送信時期調整手段とを含み、
前記報知制御手段は、２以上の所定数である賭数に対応する賭数コマンドを受信した場合に、当該賭数コマンドが示す賭数に対応する回数だけ一定の時間間隔で前記報知手段を駆動させることを特徴とする、スロットマシン。
【請求項２】
遊技媒体が投入されたときに、前記賭数が所定の最大賭数に達しているか否かを判定する賭数判定手段と、
該賭数判定手段により前記賭数が前記最大賭数に達していると判定されたときに、前記クレジット数記憶手段が記憶しているクレジット数が所定の最大クレジット数に達しているか否かを判定するクレジット数判定手段と、
該クレジット数判定手段により前記クレジット数が前記最大クレジット数に達していないと判定されたときに、前記クレジット数記憶手段が記憶しているクレジット数を加算更新するクレジット数加算更新手段とをさらに含み、
前記遊技制御手段は、前記遊技媒体の投入に応じた前記クレジット数加算更新手段によるクレジット数の加算更新毎に所定のコマンドを前記報知制御手段へ送信し、
前記報知制御手段は、前記所定のコマンドを受信したときに前記報知手段から効果音を発生させることを特徴とする、請求項１に記載のスロットマシン。
【手続補正２】
【補正対象書類名】明細書
【補正対象項目名】０００９
【補正方法】変更
【補正の内容】
【０００９】
【課題を解決するための手段の具体例およびその効果】
（１）  １ゲームに賭ける賭数が設定されることによりゲームを開始させることが可能となり、可変表示装置（たとえば、リール４）の表示結果が導出表示されることにより１ゲームの終了条件が成立し、該可変表示装置の表示結果に応じて、今回のゲームの賭数が次回のゲームに持越される再ゲーム役を含む複数種類(前記スロットマシンには、複数種類の入賞役（たとえば、小役、リプレイ、ビッグボーナス、レギュラーボーナス）が予め定められており)の入賞が発生し得るスロットマシンであって、
賭数の設定に使用可能なクレジットの数（図１０のＳＢ２５等のクレジット数のデータ）を記憶するクレジット数記憶手段（図３のＲＡＭ１１３）と、
該クレジット数記憶手段に記憶されたクレジット数から賭数相当のクレジット数を減算することと引換えにして（図１０のＳＢ２９、ＳＢ３０、ＳＢ３３、ＳＢ３４）、賭数として２以上の所定数を一度に選択する操作が可能となる賭数選択操作手段（図１のＭＡＸＢＥＴボタン４４）と、
遊技状態を制御する遊技制御手段（図２の遊技制御基板１００およびそれに搭載されたＣＰＵ１１２）と、
該遊技制御手段とは別個に設けられ、前記遊技制御手段から送信される所定の賭数コマンド（図７の１ＢＥＴ通知コマンド、２ＢＥＴ通知コマンド、ＭＡＸＢＥＴ通知コマンド）が示す賭数を報知するための制御を行なう報知制御手段（図２の演出制御基板１０１、図８）と、
該報知制御手段により制御され、前記賭数コマンドが示す賭数を報知する報知手段（図２のスピーカ５８１：各々のＢＥＴ通知コマンドを受けて演出制御基板１０１がスピーカ５８１から効果音を発生させる）とを含み、
前記遊技制御手段は、
前記賭数選択操作手段が操作されたときに設定されている賭数に基づいて、当該賭数選択操作手段の操作によって増加する賭数を特定する特定手段（図１０のＳＢ４、ＳＢ２７）と、
前回のゲームで前記再ゲーム役による入賞が発生したときに今回のゲームの賭数として前回の賭数と同じ数を自動的に設定する賭数自動設定手段（図１０のＳＢ１、ＳＢ３１）と、
複数種類の賭数の各々に対応付けられた各賭数コマンド（１ＢＥＴ通知コマンド、２ＢＥＴ通知コマンド、ＭＡＸＢＥＴ通知コマンド）のうちの前記特定手段により特定された賭数または前記賭数自動設定手段により設定された賭数に対応する一の賭数コマンドを設定する賭数コマンド設定手段（図１０のＳＢ１０〜ＳＢ１３、ＳＢ３１）と、
該賭数コマンド設定手段が設定した賭数コマンドを前記報知制御手段へ送信する賭数コマンド送信手段（図１０のＳＢ１６）と、
該賭数コマンド送信手段による前記賭数コマンドの送信時期を所定時間（図８の遅延時間Ｔ：遅延時間Ｔは、コマンド（特に、この図８ではＢＥＴ通知コマンド）の送信毎に遊技制御基板１００によってその長さが所定範囲内（Ｔ１≦Ｔ≦Ｔ２）でランダムに変更されるランダムな時間である。）の範囲内でランダムに変化させる送信時期調整手段（ＳＢ１４〜ＳＢ１６）とを含み、
前記報知制御手段は、２以上の所定数である賭数に対応する賭数コマンドを受信した場合に、当該賭数コマンドが示す賭数に対応する回数だけ一定の時間間隔で前記報知手段を駆動させる（図８（ｂ）（ｃ）のｔｉ）。
【手続補正書】
【提出日】平成16年8月11日(2004.8.11)
【手続補正１】
【補正対象書類名】明細書
【補正対象項目名】特許請求の範囲
【補正方法】変更
【補正の内容】
【特許請求の範囲】
【請求項１】
特定入賞口への入賞に基づく始動入賞記憶を上限数まで記憶可能な始動入賞記憶手段と、
該始動入賞記憶手段の始動入賞記憶の数を表示可能な始動入賞記憶表示手段と、
前記始動入賞記憶手段に始動入賞記憶がある場合に複数の図柄を変動表示させる変動表示ゲームを実行する変動表示装置と、
を有し、前記変動入賞装置に予め設定された図柄が停止表示されると遊技者に有利となる特別遊技状態を発生する遊技機において、
前記始動入賞記憶表示手段は、所定数より一つ少ない数の彩色領域で構成される始動記憶詳細表示領域と、一つの彩色領域で構成される始動入賞記憶上限数曖昧表示領域と、からなり、
前記始動入賞記憶表示手段に記憶された始動入賞記憶の数が、一つから前記所定数より一つ少ない数までの場合に、前記始動記憶詳細表示領域にて一つの始動入賞記憶に対して一つの彩色領域を彩色状態とし、
前記始動入賞記憶の数が、前記所定数から前記上限数までの場合に、全ての前記始動記憶詳細表示領域及び始動入賞記憶上限数曖昧表示領域の彩色領域を彩色状態とするように構成して、始動入賞記憶の上限数を曖昧な状態で表示することを特徴とする遊技機。
【請求項２】
特定入賞口への入賞に基づく始動入賞記憶を上限数まで記憶可能な始動入賞記憶手段と、
該始動入賞記憶手段の始動入賞記憶の数を表示可能な始動入賞記憶表示手段と、
前記始動入賞記憶手段に始動入賞記憶がある場合に複数の図柄を変動表示させる変動表示ゲームを実行する変動表示装置と、
を有し、前記変動入賞装置に予め設定された図柄が停止表示されると遊技者に有利となる特別遊技状態を発生する遊技機において、
前記始動入賞記憶表示手段は、前記始動入賞記憶手段に記憶されている記憶数に関わらず予め記憶表示領域が限定されており、その限定された領域内で記憶表示領域の面積や長さを記憶数に応じて伸縮させて記憶されている記憶数を表示可能であることを特徴とする遊技機。
【手続補正２】
【補正対象書類名】明細書
【補正対象項目名】０００９
【補正方法】変更
【補正の内容】
【０００９】
【課題を解決するための手段】
上記目的を達成するため本発明は、特定入賞口（１０３）への入賞に基づく始動入賞記憶を上限数（例えば、「８」）まで記憶可能な始動入賞記憶手段と、該始動入賞記憶手段の始動入賞記憶の数を表示可能な始動入賞記憶表示手段（始動入賞記憶表示領域Ａ）と、前記始動入賞記憶手段に始動入賞記憶がある場合に複数の図柄を変動表示させる変動表示ゲームを実行する変動表示装置とを有し、前記変動入賞装置に予め設定された図柄が停止表示されると遊技者に有利となる特別遊技状態を発生する遊技機において、前記始動入賞記憶表示手段は、所定数（例えば「５」）より一つ少ない数（例えば４つ）の彩色領域で構成される始動記憶詳細表示領域（始動入賞記憶詳細表示領域Ａ１ａ）と、一つの彩色領域で構成される始動入賞記憶上限数曖昧表示領域（始動入賞記憶上限数曖昧表示領域Ａ１ｂ）とからなり、前記始動入賞記憶表示手段に記憶された始動入賞記憶の数が、一つから前記所定数より一つ少ない数（例えば４つ）までの場合に、前記始動記憶詳細表示領域にて一つの始動入賞記憶に対して一つの彩色領域を彩色状態とし、前記始動入賞記憶の数が、前記所定数（例えば５つ）から前記上限数（例えば８つ）までの場合に、全ての前記始動記憶詳細表示領域及び始動入賞記憶上限数曖昧表示領域の彩色領域を彩色状態とするように構成して、始動入賞記憶の上限数を曖昧な状態で表示するようにした。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００７１
【補正方法】変更
【補正の内容】
【００７１】
【発明の効果】
本発明の請求項１，２の構成によれば、多くの始動入賞記憶が可能な遊技機において始動入賞口への入賞が少ない場合（例えば通常遊技状態）であっても、始動入賞口（特定入賞口）への入賞が余り無いようなイメージを抱かせ難くすることができ、記憶の上限を増やした場合においても遊技機や遊技店のイメージを低下させないようにすることができるという効果がある。
【手続補正書】
【提出日】平成16年4月30日(2004.4.30)
【手続補正１】
【補正対象書類名】明細書
【補正対象項目名】００１１
【補正方法】変更
【補正の内容】
【００１１】
また、弾球遊技機における筐体とは、遊技機の外枠となる枠体、遊技盤を取り付けるための基板であって枠体に組み付けられたフロントパネル（ベースドアということもある）、遊技盤の遊技領域を覆うように配置されフロントパネルに対して開閉可能に取り付けられたガラス扉、遊技盤の下に配置されフロントパネルに対して開閉可能に取り付けられた上皿パネルなどから構成される。
【手続補正２】
【補正対象書類名】明細書
【補正対象項目名】００１３
【補正方法】変更
【補正の内容】
【００１３】
最近の弾球遊技機には、ガラス扉やフロントパネルにもランプやＬＥＤを設けて光による演出を行うものが多く、ガラス扉やフロントパネルに図柄表示装置を配置することによって筐体の光演出の注目度を上げるという効果も発揮する。
【手続補正３】
【補正対象書類名】明細書
【補正対象項目名】００４２
【補正方法】変更
【補正の内容】
【００４２】
図６は、本発明のいまひとつの実施形態に係る弾球遊技機の正面図である。図１に示した弾球遊技機１００との違いは、補助図柄表示装置１０７がガラス扉１０５ではなくフロントパネル１０２に設けられている点である。この弾球遊技機１００のフロントパネル１０２には、フロントパネル１０２よりも幅の狭いガラス扉１０５が取り付けられているとともに、枠上部飾りランプと呼ばれる装飾ランプ１０８がガラス扉１０５の上部から右部にかけてガラス扉１０５の周縁を取り囲むように設けられている。その他の構成は図１に示したものと同じであるので省略する。
【手続補正書】
【提出日】平成16年10月1日(2004.10.1)
【手続補正１】
【補正対象書類名】明細書
【補正対象項目名】特許請求の範囲
【補正方法】変更
【補正の内容】
【特許請求の範囲】
【請求項１】
少なくとも一方の端部が樹脂で接着封止された中空糸膜束がケース内に収納されており、その封止樹脂が下記一般式で示されるビスフェノールを有し粘度が３００〜５０００ｍＰａ・ｓのエポキシ樹脂であることを特徴とする中空糸膜モジュール。
【化１】
2002233737.tif 000001
（ここで、Ｘはアルキレン基を示す。）
【請求項２】
Ｘが
【化２】
2002233737.tif 000002
（ここで、Ｒ１およびＲ２はＣnＨ2n+1（ただしｎ＝０またはｎ≧２の整数）を表す。）で表されることを特徴とする請求項１記載の中空糸膜モジュール。
【請求項３】
封止樹脂がフィラーを１重量％以上含んでなるビスフェノールＦ型エポキシ樹脂であることを特徴とする請求項１または２記載の中空糸膜モジュール。
【請求項４】
接着封止された封止部の各中空糸間の膜空隙部にエポキシ樹脂が該空隙部の１容量％以上浸透していることを特徴とする請求項１〜３のいずれか記載の中空糸膜モジュール。
【手続補正２】
【補正対象書類名】明細書
【補正対象項目名】０００８
【補正方法】変更
【補正の内容】
【０００８】
【課題を解決するための手段】
本発明は、かかる課題を解決するために、次のような手段を採用するものであるすなわち本発明は、（１）少なくとも一方の端部が樹脂で接着封止された中空糸膜束がケース内に収納されており、その封止樹脂が下記一般式で示されるビスフェノールを有し粘度が３００〜５０００ｍＰａ・ｓのエポキシ樹脂であることを特徴とする中空糸膜モジュールである。
【手続補正３】
【補正対象書類名】明細書
【補正対象項目名】００１２
【補正方法】変更
【補正の内容】
【００１２】
（３）封止樹脂がフィラーを１重量％以上含んでなるビスフェノールＦ型エポキシ樹脂であることを特徴とする上記（１）または（２）記載の中空糸膜モジュール。
【手続補正４】
【補正対象書類名】明細書
【補正対象項目名】００２５
【補正方法】変更
【補正の内容】
【００２５】
具体的な粘度としては、３００〜５０００ｍＰａ・ｓであることを必須とする。